(57)【特許請求の範囲】
【請求項１】
無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成と、
前記複数のキャリアのうちの第１のキャリアにキャンプオンし、次いで、前記第１のキャリアを介して少なくとも１つの基地局の前記構成とデータを通信するように動作可能な第１の端末装置と、
前記複数のキャリアのうちの第２のキャリアにキャンプオンし、次いで、前記第２のキャリアを介して少なくとも１つの基地局の前記構成とデータを通信するように動作可能な第２の端末装置と、
を含み、
前記第１の端末装置および前記第２の端末装置が前記第１のキャリアおよび前記第２のキャリアと同期してキャンプオン手続きを開始する能力を共に有するように、前記第１のキャリアおよび前記第２のキャリアは、互換性のある同期シグナリングをサポートし、
前記第２の端末装置は、前記第１または第２のキャリアのうちの一方と同期してキャンプオン手続きを開始した後に、前記第２の端末装置が同期した前記キャリアの制御チャネルに関連付けられた物理層のシグナリングの態様に依存して、前記キャンプオン手続きを継続するか否かを判定するように構成され、
物理層のシグナリングの前記態様は、前記第２の端末装置が同期した前記キャリアについてのキャリア動作帯域幅の表示を含み、
前記第２の端末装置は、前記キャリア動作帯域幅が前記第２の端末装置についての装置動作帯域幅よりも大きい場合に前記キャンプオン手続きを継続しないように構成される、
モバイル通信システム。
【請求項２】
前記制御チャネルは、物理ブロードキャストチャネルである、請求項１に記載のモバイル通信システム。
【請求項３】
物理層のシグナリングの前記態様は、前記制御チャネルでブロードキャストされる標識の有無を含む、請求項１または２に記載のモバイル通信システム。
【請求項４】
前記第２のキャリアは、前記標識をブロードキャストするように構成され、前記第１のキャリアは、前記標識をブロードキャストしないように構成される、請求項３に記載のモバイル通信システム。
【請求項５】
前記標識の有無は、前記第２の端末装置が同期した前記キャリアのマスタ情報ブロックから導出可能である、請求項３または４に記載のモバイル通信システム。
【請求項６】
前記標識の有無は、前記マスタ情報ブロック内に含まれる情報から導出可能である、請求項５に記載のモバイル通信システム。
【請求項７】
前記標識の有無は、前記マスタ情報ブロックから導出可能な物理送信リソースでのシグナリングから判定される、請求項５に記載のモバイル通信システム。
【請求項８】
前記キャリアの動作帯域幅の前記表示は、前記第２の端末装置が同期した前記キャリアのマスタ情報ブロックから導出可能である、請求項１に記載のモバイル通信システム。
【請求項９】
前記第２の端末装置は、前記第２の端末装置が同期した前記キャリアとの前記キャンプオン手続きを継続しないと前記第２の端末装置が判定した場合に、別のキャリアとの同期を試みて、別のキャンプオン手続きを開始するように構成される、請求項１〜８のいずれか１項に記載のモバイル通信システム。
【請求項１０】
前記第１の端末装置が前記第２のキャリアとのキャンプオン手続きを完了できないように、前記第１および第２のキャリアは、それぞれのキャンプオン手続きの制御チャネルに関連付けられた互換性のない物理層のシグナリングを採用する、請求項１〜９のいずれか１項に記載のモバイル通信システム。
【請求項１１】
モバイル通信システムにおける基地局であって、
前記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含み、
前記基地局は、２つの異なるタイプの端末装置がキャリアに同期してキャンプオン手続きを開始できるようにするフォーマットで、同期シグナリングを前記キャリアでブロードキャストするように動作可能であり、
前記基地局は、前記キャンプオン手続きに関連付けられた前記キャリアで制御チャネルをブロードキャストするようにさらに動作可能であり、
前記制御チャネルに関連付けられた物理層のシグナリングの態様は、前記２つの異なるタイプの端末装置のうちの一方に、その端末装置が前記キャンプオン手続きを継続すべきか否かを示すように、選択され、
物理層のシグナリングの前記態様は、前記一方の端末装置が同期した前記キャリアについてのキャリア動作帯域幅の表示を含み、
前記一方の端末装置は、前記キャリア動作帯域幅が前記一方の端末装置についての装置動作帯域幅よりも大きい場合に前記キャンプオン手続きを継続しないように構成される、
基地局。
【請求項１２】
前記制御チャネルは、物理ブロードキャストチャネルである、請求項１１に記載の基地局。
【請求項１３】
物理層のシグナリングの前記態様は、前記制御チャネルでブロードキャストされる標識の有無を含む、請求項１１または１２に記載の基地局。
【請求項１４】
前記基地局は、前記キャリアでマスタ情報ブロックをブロードキャストするように動作可能であり、
前記標識の有無は、前記マスタ情報ブロックから導出可能である、
請求項１３に記載の基地局。
【請求項１５】
前記標識の有無は、前記マスタ情報ブロック内に含まれる情報から導出可能である、請求項１４に記載の基地局。
【請求項１６】
前記標識は、前記マスタ情報ブロックから導出可能である物理送信リソースでのシグナリングによって提供される、請求項１４に記載の基地局。
【請求項１７】
モバイル通信システムにおけるキャリア選択を支援する方法であって、
前記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含み、
第１の端末装置は、前記複数のキャリアのうちの第１のキャリアにキャンプオンし、次いで、前記第１のキャリアを介して少なくとも１つの基地局の前記構成とデータを通信するように動作可能であり、
第２の端末装置は、前記複数のキャリアのうちの第２のキャリアにキャンプオンし、次いで、前記第２のキャリアを介して少なくとも１つの基地局の前記構成とデータを通信するように動作可能であり、
前記方法は、
前記第１および第２の端末装置が、前記第１および第２のキャリアと同期してキャンプオン手続きを開始する能力を共に有するように、互換性のある同期シグナリングによって、前記第１および第２のキャリアをブロードキャストすることと、
前記キャリアの各々で制御チャネルをブロードキャストすることと、
前記キャリアのうちの一方と同期してキャンプオン手続きを開始した端末装置において、前記端末装置が同期した前記キャリアの前記制御チャネルに関連付けられた物理層のシグナリングの態様に依存して、前記キャンプオン手続きを継続するか否かを判定することと、
を含み、
物理層のシグナリングの前記態様は、前記第２の端末装置が同期した前記キャリアについてのキャリア動作帯域幅の表示を含み、
前記第２の端末装置は、前記キャリア動作帯域幅が前記第２の端末装置についての装置動作帯域幅よりも大きい場合に前記キャンプオン手続きを継続しないように構成される、
方法。
【請求項１８】
モバイル通信システムにおいて、基地局によって実行されるキャリア選択を支援する方法であって、
前記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含み、
前記方法は、
２つの異なるタイプの端末装置がキャリアと同期してキャンプオン手続きを開始できるようにするフォーマットで、同期シグナリングを前記キャリアでブロードキャストすることと、
前記キャリアでの前記キャンプオン手続きに関連付けられている制御チャネルをブロードキャストすることと、
を含み、
前記制御チャネルに関連付けられている物理層のシグナリングの態様は、前記２つの異なるタイプの端末装置のうちの一方に、その端末装置が前記キャンプオン手続きを継続すべきか否かを示すように、選択され、
物理層のシグナリングの前記態様は、前記一方の端末装置が同期した前記キャリアについてのキャリア動作帯域幅の表示を含み、
前記一方の端末装置は、前記キャリア動作帯域幅が前記一方の端末装置についての装置動作帯域幅よりも大きい場合に前記キャンプオン手続きを継続しないように構成される、
方法。
【発明の詳細な説明】
【技術分野】
【０００１】
本発明は、無線通信システムに関し、特に、無線通信システムにおいてキャリア選択を制御する方法および装置に関する。
【背景技術】
【０００２】
モバイル通信システムは、過去約１０年にわたってＧＳＭシステム（Ｇｌｏｂａｌ  Ｓｙｓｔｅｍ  ｆｏｒ  Ｍｏｂｉｌｅ  ｃｏｍｍｕｎｉｃａｔｉｏｎｓ）から３Ｇシステムへ発展してきており、今や回路交換通信だけでなくパケットデータ通信も含む。第３世代パートナーシッププロジェクト（３ＧＰＰ）は、Ｌｏｎｇ  Ｔｅｒｍ  Ｅｖｏｌｕｔｉｏｎ（ＬＴＥ）と呼ばれる第４世代のモバイル通信システムの開発を開始している。ＬＴＥにおいては、より早期のモバイル無線ネットワークアーキテクチャのコンポーネントの結合と、ダウンリンク上では直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）及びアップリンク上ではシングルキャリア周波数分割多元接続（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）に基づく無線アクセスインタフェースとに基づいて、コアネットワーク部分がより簡略化されたアーキテクチャを形成するように発展させられている。
【０００３】
３ＧＰＰに基づいて定義されたＵＭＴＳ及びＬｏｎｇ  Ｔｅｒｍ  Ｅｖｏｌｕｔｉｏｎ（ＬＴＥ）アーキテクチャに基づくシステムなどの第３世代及び第４世代のモバイル通信システムは、以前の世代のモバイル通信システムによって提供される単純な音声及びメッセージングサービスよりも高度な範囲のサービスをサポートすることが可能である。
【０００４】
例えば、ＬＴＥシステムによって提供される改善された無線インターフェース及び強化されたデータ転送速度によって、ユーザは、以前は固定回線のデータ接続を介してのみ利用可能であったモバイルビデオストリーミング及びモバイルビデオ会議といった高データ転送速度のアプリケーションを楽しむことが可能である。そのため、第３および第４世代ネットワークの展開への要望は強く、これらのネットワークのカバレッジエリア、つまり、ネットワークへのアクセスが可能な地理的な場所、は急速に増加することが予想される。
【０００５】
第３および第４世代ネットワークの予想される広域展開は、利用可能な高いデータ転送速度を利用することよりもむしろ、ロバストな無線インターフェースおよびカバレッジエリアの唯一性（uniquity）の向上を利用するクラスの装置およびアプリケーションの並行開発につながっている。例として、いわゆるマシンタイプコミュニケーション（ＭＴＣ）アプリケーションがあり、その一部は、いくつかの点で、相対的に低い頻度で少量のデータを通信する準自律的または自律的な無線通信装置（つまり、ＭＴＣ装置）に代表される。例として、例えば顧客の家に設置され、ガス、水道、電気などの公共施設の顧客の消費量に関するデータを中央ＭＴＣサーバへ周期的に送信する、いわゆるスマートメータが、含まれる。
【０００６】
ＭＴＣタイプの端末のような端末にとって、第３または第４世代モバイル通信ネットワークによって提供される広域なカバレッジエリアを利用することはうってつけであり得るが、現在では不利益がある。スマートフォンのような従来の第３または第４世代モバイル端末とは異なり、相対的に簡易で廉価であるそのような端末には、ＭＴＣタイプの端末用の主要なドライバが望ましい。一般的にＭＴＣタイプの端末によって実行される種類の機能（例えば、相対的に少量のデータを単に収集し、報告すること）は、例えば、ビデオストリーミングをサポートするスマートフォンに比較して、特に複雑な処理の実行を要求しない。しかし、第３および第４世代モバイル通信ネットワークは、一般的に、先進のデータ変調技術を採用し、より複雑で高価な無線送受信機の実装を要求し得る無線インターフェースにおいて、広い帯域幅の使用をサポートする。スマートフォンは、一般的に、典型的なスマートフォンタイプの機能を実行するための高速なプロセッサを要求するため、スマートフォンにそのような複雑な送受信機を備えることはもっともである。しかし、上記のように、現在は、相対的に廉価でより単純な装置を使用してＬＴＥタイプのネットワークを用いて通信したいという要望がある。
【発明の概要】
【０００７】
発明の第１の態様によれば、モバイル通信システムが提供され、上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成と、上記複数のキャリアのうちの第１のキャリアにキャンプオンし、次いで、上記第１のキャリアを介して上記少なくとも１つの基地局の構成とデータを通信するように動作可能である第１の端末装置と、上記複数のキャリアのうちの第２のキャリアにキャンプオンし、次いで、上記第２のキャリアを介して上記少なくとも１つの基地局の構成とデータを通信するように動作可能である第２の端末装置と、を含む。上記第１のキャリアおよび上記第２のキャリアは、上記第１の端末装置および上記第２の端末装置が上記第１のキャリアおよび上記第２のキャリアと同期してキャンプオン手続きを開始する能力を共に有するように、互換性のある同期シグナリングをサポートする。、上記第２の端末装置は、キャンプオン手続きを開始するための第１のキャリアまたは第２のキャリアのうちの一方との同期に引き続き、同期した上記キャリアの制御チャネルに関連付けられた物理層のシグナリングの態様に依存して、上記キャンプオン手続きを継続するか否かを判定するように構成される。
【０００８】
制御チャネルは、例えば、物理ブロードキャストチャネル（ＰＢＣＨ：Ｐｈｙｓｉｃａｌ  Ｂｒｏａｄｃａｓｔ  Ｃｈａｎｎｅｌ）であり得る。
【０００９】
物理層のシグナリングの態様は、標識（indicator）の有無を含み得る。例えば、第２のキャリアは、標識をブロードキャストするように構成されてもよく、第１のキャリアは、標識をブロードキャストされないように構成されてもよい。
【００１０】
標識の有無は、第２の装置が同期したキャリアのマスタ情報ブロックから導出可能であり得る。例えば、標識の有無は、マスタ情報ブロック内に含まれる情報から導出可能であり得、および／または、マスタ情報ブロックから導出可能な物理送信リソースでのシグナリングから判定され得る。
【００１１】
物理層のシグナリングの態様は、第２の装置が同期したキャリアについてのキャリア動作帯域幅の表示（indication）を含み得る。そのような場合、キャリア動作帯域幅が第２の装置についての装置動作帯域幅よりも大きいと、第２の装置はキャンプオン手続きを継続しないように構成され得る。
【００１２】
キャリアの動作帯域幅の表示は、例えば、第２の装置が同期したキャリアのマスタ情報ブロックから導出可能であり得る。
【００１３】
第２の装置は、同期したキャリアとキャンプオン手続きを継続しないと第２の装置が判定した場合は、別のキャリアと同期して別のキャンプオン手続きの開始を試みるように構成されてもよい。
【００１４】
いくつかの実施形態では、第１の端末装置が第２のキャリアとキャンプオン手続きを完了できないように、第１のキャリアおよび第２のキャリアは、それぞれのキャンプオン手続きの制御チャネルに関連付けられた互換性のない物理層のシグナリングを採用し得る。
【００１５】
発明の別の態様によれば、モバイル通信システムにおける使用のための端末装置が提供される。上記モバイル通信システムは、無線アクセスインターフェースの複数の論理的に別個のキャリアのうちのそれぞれのキャリアを介して、異なるタイプの端末装置へ、および／または、異なるタイプの端末装置からデータを通信するように構成される少なくとも１つの基地局の構成を含む。上記端末装置は、上記複数のキャリアのうちの１つと同期してそのキャリアについてのキャンプオン手続きを開始するように動作可能であり、上記端末装置は、同期した上記キャリアの制御チャネルに関連付けられた物理層のシグナリングの態様に依存して、上記キャンプオン手続きを継続するか否かを判定するようにさらに動作可能である。
【００１６】
発明の別の態様によれば、モバイル通信システムにおける基地局が提供される。上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含む。上記基地局は、２つの異なるタイプの端末装置が上記キャリアに同期してキャンプオン手続きを開始することを可能にするフォーマットでキャリアで同期シグナリングをブロードキャストするように動作可能である。上記基地局は、上記キャンプオン手続きに関連付けられた上記キャリアで制御チャネルをブロードキャストするようにさらに動作可能である。上記制御チャネルに関連付けられた物理層のシグナリングの態様は、上記２つの異なるタイプの端末装置のうちの一方に、その端末装置が上記キャンプオン手続きを継続すべきか否かを示すために、選択される。
【００１７】
発明の別の態様によれば、モバイル通信システムにおけるキャリア選択を支援する方法が提供される。上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含む。第１の端末装置は、上記複数のキャリアのうちの第１のキャリアにキャンプオンし、次いで、上記第１のキャリアを介して上記少なくとも１つの基地局の構成とデータを通信するように動作可能である。第２の端末装置は、上記複数のキャリアのうちの第２のキャリアにキャンプオンし、次いで、上記第２のキャリアを介して上記少なくとも１つの基地局の構成とデータを通信するように動作可能である。上記方法は、上記第１の端末装置および上記第２の端末装置が、上記第１のキャリアおよび上記第２のキャリアと同期してキャンプオン手続きを開始する能力を共に有するように、互換性のある同期シグナリングによって上記第１のキャリアおよび上記第２のキャリアをブロードキャストすることと、上記キャリアの各々で制御チャネルをブロードキャストすることと、上記キャリアのうちの一方と同期してキャンプオン手続きを開始した端末装置において、上記端末装置が同期した上記キャリアの上記制御チャネルに関連付けられた物理層のシグナリングの態様に依存して、上記キャンプオン手続きを継続するか否かを判定することと、含む。
【００１８】
発明の別の態様によれば、モバイル通信システムにおける基地局によって実行されるキャリア選択を支援する方法が提供される。上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含む。上記方法は、上記複数のキャリアのうちの１つと同期してそのキャリアについてのキャンプオン手続きを開始することと、次いで、上記端末装置が同期した上記キャリアの制御チャネルに関連付けられた物理層のシグナリングの態様に依存して、上記キャンプオン手続きを継続するか否かを判定することと、を含む。
【００１９】
発明の別の態様によれば、モバイル通信システムにおける端末装置によって実行されるキャリア選択を支援する方法が提供される。上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成を含む。上記方法は、同期シグナリングをキャリアで、２つの異なるタイプの端末装置が上記キャリアに同期してキャンプオン手続きを開始することを可能にするフォーマットでブロードキャストすることと、上記キャンプオン手続きに関連付けられた制御チャネルを上記キャリアでブロードキャストすることと、を含む。上記制御チャネルに関連付けられた物理層のシグナリングの態様は、上記２つの異なるタイプの端末装置のうちの一方に、その端末装置が上記キャンプオン手続きを継続すべきか否かを示すために選択される。
【００２０】
発明の別の態様によれば、モバイル通信システムが提供され、上記モバイル通信システムは、無線アクセスインターフェースの複数の論理的に別個のキャリアのうちのそれぞれのキャリアを介して、異なるタイプの端末装置へ、および／または、異なるタイプの端末装置から、データを通信するように構成される少なくとも１つの基地局の構成と、上記複数のキャリアのうちの第１のキャリアにキャンプオンし、次いで、上記第１のキャリアを介して上記少なくとも１つの基地局の構成とデータを通信するように動作可能である第１の端末装置と、上記複数のキャリアのうちの第２のキャリアにキャンプオンし、次いで、上記第２のキャリアを介して上記少なくとも１つの基地局の構成とデータを通信するように動作可能である第２の端末装置と、を含む。上記第１のキャリアおよび上記第２のキャリアは、上記第１の端末装置および上記第２の端末装置が共に上記第１のキャリアと上記第２のキャリアと同期してキャンプオン手続きを開始可能なように、互換性のある同期シグナリングをサポートし、上記第１のキャリアおよび上記第２のキャリアは、上記第１の端末装置が上記第２のキャリアとのキャンプオン手続きを完了できないように、それぞれのキャンプオン手続きの制御チャネルに関連付けられた互換性のない物理層のシグナリングをサポートする。
【００２１】
上記発明の態様および実施形態の特徴は、明示的に記載されたものを除く組合せで適切に発明の他の態様および実施形態の特徴と組み合わせられ得ることが理解されるであろう。例えば、発明の第１の態様の任意の特徴は、例えば、異なる態様が対応する特徴を有する場合、発明の他の態様に応じた実施形態に等しく任意で組み込まれ得る。
【図面の簡単な説明】
【００２２】
ここで、本発明の例示的実施形態が添付の図面を参照して説明される。添付の図面では、同様の部分が同じ参照符号を有する。
【図１】３ＧＰＰ  Ｌｏｎｇ  Ｔｅｒｍ  Ｅｖｏｌｕｔｉｏｎ（ＬＴＥ）規格に従って動作する無線通信システムを形成する無線ネットワーク及び複数のユーザ機器の概略的なブロック図である。
【図２】発明の実施形態に従うセル選択手続きを実装する２つのキャリアについての利用可能なスペクトルの一部内からの無線ネットワークの帯域幅割当てを概略的に表す。
【図３Ａ】発明のいくつかの実施形態に従って、モバイル端末装置が実行するセル選択手続きのいくつかの態様を概略的に示すフロー図である。
【図３Ｂ】発明のいくつかの実施形態に従って、モバイル端末装置が実行するセル選択手続きのいくつかの態様を概略的に示すフロー図である。
【図４Ａ】発明のいくつかの他の実施形態に従って、モバイル端末装置によって実行されるセル選択手続きのいくつかの態様を概略的に示すフロー図である。
【図４Ｂ】発明のいくつかの他の実施形態に従って、モバイル端末装置によって実行されるセル選択手続きのいくつかの態様を概略的に示すフロー図である。
【図４Ｃ】発明のいくつかの他の実施形態に従って、モバイル端末装置によって実行されるセル選択手続きのいくつかの態様を概略的に示すフロー図である。
【図５】図５は、発明の実施形態を実装するためのモバイル通信システムの要素を概略的に表す。
【発明を実施するための形態】
【００２３】
上記のように、無線ネットワークの関連動作規格に完全に準拠するために要求される完全な動作機能性を提供されていないかもしれないクラスの装置の動作を可能にする無線ネットワークアーキテクチャを提供する動機がある。例として、現在のＬＴＥ規格に完全に準拠するモバイルユーザ機器は、２０ＭＨｚの無線帯域幅をサポートすることが要求される。無線リソースは、この帯域幅全体にわって、モバイルユーザ機器に割り当てられ得る。そのため、モバイルユーザ機器は、この全範囲にわたって動作可能な送受信機を含む。しかし、そのような広帯域のキャパシティを要求せず、そのため、ネットワークに依然収容されつつも縮小された帯域幅の送受信機を提供されることが可能である場合により安価にされることが可能である、ＭＴＣ装置のようなクラスの装置が、存在し得るということを、本発明者は認識している。
【００２４】
この相互運用性を達成する１つの手法は、異なるキャリアを異なるクラスの装置に提供することである。例えば、第１のキャリアが、ある規格に準拠する第１のクラスの装置に提供され得る一方で、第２のキャリアは、その規格の変形に準拠する第２のクラスの装置に提供され得る。例えば、第１のキャリアが、完全にＬＴＥに準拠するキャリアであり得る一方で、第２のキャリアは、ＭＴＣタイプの装置トラフィックにのために、キャリアを最適化するための若干の修正を施したＬＴＥ規格に基づき得る。例えば、第２のキャリアは、縮小された帯域幅で動作し得、第１のキャリアを用いて通信され得る潜在的に内容が豊富な全幅のトラフィックよりも、相対的に単純なメッセージトラフィックをサポートするために最適化され得る。この点で、本例における第２のキャリアは、ＭＴＣタイプの装置への通信およびＭＴＣタイプの装置からの通信をサポートするための専用メッセージングネットワーク（ＤＭＮ：ｄｅｄｉｃａｔｅｄ  ｍｅｓｓａｇｉｎｇ  ｎｅｔｗｏｒｋ）の一種であると考えられ得る。このＤＭＮという用語は、ある状況におけるこの種の第２のキャリアについての主な用途に関連付けられる上記タイプのトラフィックを特徴付けるので、参照を容易にするためにこのＤＭＮという用語がここで使用されるということが、当然理解されるであろう。したがって、用語ＤＭＮは、キャリアが専ら且つ排他的にＭＴＣタイプの装置のメッセージを通信するためのものであることを示していると意図されるべきでない。
【００２５】
したがって、ＤＭＮは、従来の広帯域の無線通信キャリアと比較して、相対的に小さいメッセージをより効率的に通信するように適合されることを特徴とし得る。例えば、ＤＭＮは、従来の物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）のサイズを可能な限り低減させることによって、サブフレーム毎により多くのＰＤＣＣＨをサポートし得る。別の例において、ＤＭＮは、より多量のランダムアクセスチャネル（ＲＡＣＨ：Ｒａｎｄｏｍ  Ａｃｃｅｓｓ  Ｃｈａｎｎｅｌ）リソースをサポートするように適合され得る。これは、ＤＭＮに恒久的に接続されているわけではないが、コネクションレスな手法で通信するモバイル装置にとって有用であり得る。
【００２６】
本発明の実施形態は、本明細書において、３ＧＰＰ  Ｌｏｎｇ  Ｔｅｒｍ  Ｅｖｏｌｕｔｉｏｎ（ＬＴＥ）規格に基づくキャリアを有する無線通信システムにおける例示的実装を具体的に参照しながら説明される。
【００２７】
図１は、ＬＴＥシステムの例示的アーキテクチャを概略的に示す。ＬＴＥシステムは、通信ネットワーク事業者によって提供され、通信を可能とする。図１に示されるように、ユーザ機器（ＵＥ）１として指定されるモバイル通信装置は、ＬＴＥではＥ−ＵＴＲＡＮ  ＮｏｄｅＢ（ｅ−ｎｏｄｅＢ）としばしば呼ばれる基地局（送受信機局）２へ、および、基地局（送受信機局）２から、データを通信するように構成されている。図１に示すように、モバイル通信装置１の各々は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）４を含む。ＵＳＩＭ４は、モバイル無線ネットワークにアクセスすること、及びユーザが加入したサービスのために認証されることをモバイル通信装置に可能にする情報およびパラメータを含む。
【００２８】
ｅ−ｎｏｄｅＢ２は、サービングゲートウェイＳ−ＧＷ６および移動性管理エンティティ（ＭＭＥ）８（単純にするために図１にはＭＭＥへの接続は示されていない）に接続される。Ｓ−ＧＷ６は、モバイル無線ネットワークにおいて、通信装置１へのモバイル通信サービスのルーティングおよび管理を行うように構成される。移動性管理及び接続性を維持するために、移動性管理エンティティ（ＭＭＥ）８は、ホーム加入者サーバ（ＨＳＳ）１０に記憶された加入者情報を用いて、通信装置１とのＥＰＳ（Ｅｖｏｌｖｅｄ  Ｐａｃｋｅｄ  Ｓｙｓｔｅｍ）接続を管理する。他のコアネットワークコンポーネントは、ポリシー課金及びリソース機能（ＰＣＲＦ）１２と、パケットデータゲートウェイ（Ｐ−ＧＷ）１４とを含む。パケットデータゲートウェイ１４は、インターネット網１６に接続し、最終的に外部サーバ２０に接続する。ＭＴＣ通信に関連して、ＭＴＣ通信をサポートするＵＥは、例えば、ＭＴＣ端末またはＭＴＣ  ＵＥと便宜的に呼ばれ得る。また、ＭＴＣ端末がデータを通信するサーバは、例えば、ＭＴＣサーバと便宜的に呼ばれ得る。より一般的には、ＭＴＣ通信をサポート可能なシステムにおける装置は、ＭＴＣエンティティと呼ばれ得る。
【００２９】
図１の様々な要素およびそれぞれの動作のモードは周知であり、３ＧＰＰ（ＲＴＭ）団体によって管理される関連規格で定義され、例えば、Ｈｏｌｍａ  Ｈ．  ａｎｄ  Ｔｏｓｋａｌａ  Ａ，  “ＬＴＥ  ｆｏｒ  ＵＭＴＳ  ＯＦＤＭＡ  ａｎｄ  ＳＣ−ＦＤＭＡ  ｂａｓｅｄ  ｒａｄｉｏ  ａｃｃｅｓｓ”，  Ｊｏｈｎ  Ｗｉｌｅｙ  ａｎｄ  Ｓｏｎｓ，  ２００９．のような本題に関する多くの書籍でも説明される。これら従来のＬＴＥネットワークの態様は、簡潔にするために、これ以上は説明されない。
【００３０】
３ＧＰＰ  ＬＴＥリリース８、９および１０（Ｒｅｌ８／９／１０）は、６、１５、２５、５０、７５または１００のリソースブロックの使用を表す１．４ＭＨｚから２０ＭＨｚまでの６つのダウンリンク送信帯域幅の構成を定義する。先に述べたように、全てのＲｅｌ８／９／１０の端末装置は、Ｒｅｌ８／９／１０規格に準拠するために、２０ＭＨｚの最大シングルキャリア帯域幅をサポートすることが要求される。しかし、全ての帯域幅の構成について、Ｒｅｌ８／９／１０は、基本的な物理層の同期信号（プライマリ同期信号（ＰＳＳ）およびセカンダリ同期信号（ＳＳＳ））および最も根本的なシステム情報（マスタ情報ブロック−ＭＩＢ）が、１．４ＭＨｚの送受信機によって受信可能な中央の６つのリソースブロックのみを用いて送信されることを規定している。しかし、残りのキャリアシステム情報を受信するために、端末装置は、キャリアの全帯域幅を受信可能なことが要求される。
【００３１】
しかし、先に述べたように、いくつかのアプリケーションについて、例えば、マシンタイプ通信（ＭＴＣ）および／または専用メッセージングネットワーク（ＤＭＮ）に関する状況では、低コスト故に低性能の装置を製造する動機が存在する。理想的には、装置を単純化することによって、特徴およびスループットの低減だけでなく、要求される動作の帯域幅の縮小も可能となる。Ｒｅｌ８／９／１０について規定されたものよりも帯域幅の性能が低い端末装置とは、より高い帯域幅の性能を規定するＲｅｌ８／９／１０準拠ネットワーク上では当該装置が正確に動作することができないということを意味し得る。例えば、帯域幅の性能がより低い端末装置は、Ｒｅｌ８／９／１０準拠ネットワークのＭＩＢに含まれるものはもちろん、システム情報を受信することすらできない場合がある。別個のネットワーク／キャリアが従来のＲｅｌ８／９／１０の端末装置および提案される新しいクラスのより低性能な装置に提供される場合は、このことは問題ではない。なぜならば、新しいクラスのより低性能な装置に提供されるキャリアの動作特徴は、より低性能な装置をサポートするために、Ｒｅｌ８／９／１０規格とは独立して修正され得るからである。それでも、このシナリオでは、異なるクラスの装置が、他のキャリアの動作に著しく影響を与えることなく、意図されたキャリアを識別し、キャンプオンすることができることを、保証するという問題が残る。例えば、低性能な装置は、Ｒｅｌ８／９／１０のより高い帯域幅のキャリアがある場合でも、目標の専用メッセージングネットワークに関連付けられたキャリアを発見し、キャンプオンすることができることが理想であろう。さらに、ＤＭＮにキャンプオンするＲｅｌ８／９／１０の性能を有する装置が、ＤＭＮにキャンプオンしていない場合に使用し得るより高い帯域幅のＲｅｌ８／９／１０のキャリアのカバレッジエリアにある場合であっても、ＤＭＮにキャンプオンするＲｅｌ８／９／１０の性能を有する装置によりＤＭＮキャリアが押し寄せられないことが望ましい。
【００３２】
したがって、併置（collocate）されまたは重なるキャリアを含み、例えば、（より）高い帯域幅のＬＴＥ  Ｒｅｌ８／９／１０のキャリアである第１のキャリアと、（より）低い帯域幅の専用メッセージングネットワーク（ＤＭＮ）に関連付けられている第２のキャリアとを含むシナリオでは、低性能／低帯域幅（つまりＤＭＮ）の装置がＤＭＮキャリアを発見し選択することができることを保証し、同時に、Ｒｅｌ−８／９／１０の性能を有する装置がＤＭＮに過剰な負荷をかけることなく当該装置のトラフィックパターンをサポートできるキャリアを選択する（またはキャリアの方に向けられる）ことができることを保証するメカニズムへの動機が存在するということを、発明者は認識している。
【００３３】
この問題に対処するために発明者が認識しているいくつかの手法に移る前に、説明を補助するために、本明細書において用いられるいくつかの用語をまず紹介する。
【００３４】
発明の様々な実施形態は、例えば、キャンプオン／セル選択手続き中に、どのように第１のクラスおよび第２のクラスの装置が第１のキャリアおよび第２のキャリアから適切な手法で選択し得るのか、ということに概して関連している。ここで考察される具体例のうちのいくつかでは、第１のクラスの装置および第１のキャリアは、例えばＬＴＥ  Ｒｅｌ８／９／１０規格のような特定の規格に準拠し、第２のクラスの装置および第２のキャリアは、これらの特定の規格の修正バージョンに準拠する（例えば、より低い性能の装置をサポートするために修正された規格のバージョンに基づく）。したがって、純粋に参照および説明を補助するため、第１のクラスの装置および第１のキャリアは、いくつかの例では、レガシー装置およびレガシーキャリアと呼ばれ得る。一方、第２のクラスの装置および第２のキャリアは、いくつかの例で、ＤＭＮ装置およびＤＭＮキャリア（または、代替的に、ＭＴＣ装置およびＭＴＣキャリア）と呼ばれ得る。しかし、これらの用語は、２つのクラスの装置およびキャリアを区別するために、発明の実施形態の特定の実装の説明を容易にするためのラベルとして単に使用されることが理解されるであろう。したがって、「レガシー」という用語は、いずれの旧式の形式を示すものとして解釈されるべきではなく、実際、本明細書において、レガシー装置およびレガシーキャリアと呼ばれる装置およびキャリアは、例えば、Ｒｅｌ１１以降の将来のＬＴＥ規格のリリースに準拠する装置およびキャリアに等しく対応し得る。同様に、既に述べたように、ＤＭＮは、基本的なメッセージングサービスのみを排他的にサポートするネットワークを指すと解釈されるべきでない。さらに、第２のクラスの装置および第２のキャリアは、本明細書において、第１のクラスの装置および第１のキャリアの動作規格に（例えば、性能が低減されていることから）完全には準拠しないものとして説明されるが、それでも固有の規格に準拠し得る。さらに、第１のクラスおよび第２のクラスの装置とキャリアとの両方に関して、本明細書に記載の機能性は、例えば、将来のＬＴＥ規格のリリースといった将来の規格の異なる態様に準拠し得る。
【００３５】
図２は、どのようにレガシーキャリアおよびＤＭＮキャリアがモバイル無線通信のための利用可能なスペクトル内の帯域幅を割り当てられ得るかを概略的に示す。この例では、レガシーキャリアは、２０ＭＨｚの帯域幅を有し、ＤＭＮキャリアは、１．４ＭＨｚの帯域幅を有する。ＤＭＮキャリアは、周波数がより高く、２つのキャリアは、直接隣接しているわけではない。しかし、これは単に１つの例示的な構成を反映しており、他の実施形態は、利用可能なスペクトル内の異なるキャリア帯域幅および相対的なキャリアの配置を採用し得るということが、理解されるであろう。
【００３６】
以下の説明の目的で、レガシーキャリアは、ＬＴＥ  Ｒｅｌ１０のキャリアであり、ＤＭＮキャリアは、いくつかの態様がＬＴＥ  Ｒｅｌ１０のキャリアと共通しているが、ＤＭＮキャリアが主としてサポートしようとする特定のトラフィックタイプ（例えば、散発的なショートメッセージトラフィック）を考慮してＤＭＮキャリアの動作を最適化するためにいくつかの態様が異なることが想定される。原則として、ＤＭＮは、レガシーネットワークとは動作の相互互換性も類似性もなく、根本的に異なる作法で動作するように構成され得る。しかし、レガシータイプのネットワークは、十分に規定されており、関連する動作上の態様の多くは最適化され、ＤＭＮキャリアに等しく適合される。ＤＭＮキャリアが既存のネットワークと同じ原理に少なくとも広く基づいていると、そうでない場合よりも、そのような新たなタイプのネットワークのロールアウト及び導入が容易にもなる。例えば、以下で説明する具体的な実施形態のいくつかでは、ＤＭＮネットワークおよびレガシーネットワークは、ＬＴＥ  Ｒｅｌ８／９／１０のキャリアについて規定されたものと同じ同期信号構造および同じ物理ブロードキャストチャネル（ＰＢＣＨ）構造を共有することが想定される。しかし、ＤＭＮがその通常の動作の面でＬＴＥ  Ｒｅｌ１０のネットワークとどのように異なり得るのかという具体的な詳細は、以下に説明するキャンプオン手続きに著しい影響を与えるわけではない。
【００３７】
キャンプオン中の正確なセル選択（つまり、レガシーキャリアとＤＭＮキャリアとを選ぶこと）の問題には２つの側面があり、それらは順次説明される。第１の側面は、ＤＭＮキャリアへキャンプオンしようとするＤＭＮ装置によるセル選択に関し、第２の側面は、レガシーキャリアへキャンプオンしようとするレガシー装置によるセル選択に関する。
【００３８】
＜ＤＭＮ装置によるキャリア選択＞
図３Ａは、発明の実施形態に係るＤＭＮ装置によって実行されるセル選択手続きのいくつかの態様を概略的に示すフロー図である。
【００３９】
例えば、起動に引き続き、キャリアへのキャンプオンを試みるＤＭＮ装置は、その位置でブロードキャストされているＰＳＳおよびＳＳＳのシグナリングを識別し、復号することを試みる。ＤＭＮ装置がＰＳＳおよびＳＳＳを用いてキャリアと同期すると、ＤＭＮ装置は、フレームタイミングを判定し、続けてＰＢＣＨを復号して、そのキャリアについてのＭＩＢを判定する。関連規格に記載される公知の作法でＤＭＮ装置がこの同期およびＰＢＣＨ復号処理を実行し得るように、レガシーキャリアおよびＤＭＮキャリアは、同じＰＳＳ、ＳＳＳおよびＰＢＣＨ構造を採用することが、ここでは想定される。この同期およびＰＢＣＨ復号ステップは、図３ＡのステップＡ１によって表される。
【００４０】
ステップＡ２において、ＤＭＮ装置は、ＭＩＢでシグナリングされた情報からキャリア帯域幅（ｄｌ−帯域幅）を導出し、帯域幅がＤＭＮ装置の帯域幅の動作性能に互換性があるか否かを判定する。つまり、ＤＭＮ装置は、その動作帯域幅（例えば１．４ＭＨｚ）を認識し、この帯域幅と、ＤＭＮ装置がキャンプオンを試みているシグナリングされたキャリアの帯域幅とを比較し得る。図２に示される例示的な帯域幅の割当てを参照すると、ＤＭＮ装置がレガシーキャリアに同期した場合、ＭＩＢでシグナリングされたｄｌ−帯域幅は、２０ＭＨｚのキャリア帯域幅を示し、ＤＭＮ装置がＤＭＮキャリアに同期した場合は、ＭＩＢでシグナリングされたｄｌ−帯域幅は、１．４ＭＨｚのキャリア帯域幅を示す。
【００４１】
ステップＡ２において、ＤＭＮ装置が、シグナリングされたキャリア帯域幅はＤＭＮ装置の動作帯域幅よりも大きいと判定する場合、ＤＭＮ装置は、レガシー装置向けのネットワークにキャンプオンを試みていると想定し、処理は、「Ｙ」と記された分岐に従って、ステップＡ３に至る。ステップＡ３では、ＤＭＮ装置は、現在のキャンプオン手続きを終了し、ステップＡ２に戻り、異なるキャリアと同期し、当該異なるキャリアについてのＰＢＣＨを復号することによって、別のキャリアへキャンプオンを試みる。
【００４２】
しかし、ステップＡ２において、ＤＭＮ装置が、シグナリングされたキャリア帯域幅は、ＤＭＮ装置の動作帯域幅よりも大きくはないと判定する場合、ＤＭＮ装置は、ＤＭＮ装置用のネットワークへキャンプオンを試みていると想定し、処理は、「Ｎ」と記された分岐に従って、ステップＡ４に至る。ステップＡ４では、例えば、無線キャリアキャンプオン手続きについての概ね従来の技術に従って、キャンプオン手続きが継続する。
【００４３】
そのため、図３Ａの処理の原理に従って、複数のキャリアの中からキャリアの選択を試みるあるクラスの装置は、キャリアのうちの１つと同期してそのキャリアについてブロードキャストされるマスタ情報ブロックでシグナリングされる情報から、キャリアについての動作帯域幅を判定し、キャリアについての動作帯域幅の値に基づいてそのキャリアの選択を進めるように、構成される。
【００４４】
図３Ｂは、発明の別の実施形態に係るＤＭＮ装置によって実行されるセル選択手続きのいくつかの態様を概略的に示すフロー図である。
【００４５】
図３ＢのステップＢ１は、上記の図３Ａの中の対応するステップＡ２に類似し、ステップＡ２から理解されるであろう。しかし、図３Ｂの処理によれば、ＤＭＮキャリアは、キャリアがＤＭＮに関連付けられているという特定の表示をブロードキャストするように構成され、キャリアへキャンプオンすることを望むみ得るＤＭＮ装置は、ネットワークの適合性の確認としてこの標識を探索するように構成される。例えば、ＤＭＮ標識フラグは、ＬＴＥ  Ｒｅｌ８／９／１０では予備であるＭＩＢビットのうちの１つ（または１以上）（現在は、１０ビットの予備がある）でシグナリングされ得る。これによって、ＤＭＮ装置は、ＭＩＢの復号の直後に、キャンプオンを進めるか（否か）を決定することができる。別の例では、ＤＭＮ標識フラグは、ＭＩＢ自体ではシグナリングされずに、代わりに、予め定められた（または予め定められた方式によって（例えば、ｄｌ−帯域幅に基づいて）導出可能な）、例えばＭＩＢに関する特定の時間／周波数または時間／周波数オフセットのような送信リソースで、ブロードキャストされ得る。
【００４６】
したがって、ステップＢ２において、ＤＭＮ装置は、キャリアがＤＭＮ標識／フラグをブロードキャストしているか否かを判定する。この例では、図３Ｂに示されるように、ＤＭＮは、ＰＢＣＨ上のＭＩＢでＤＭＮ標識をシグナリングするように構成されることが想定されるが、先に述べたように、フラグはＰＢＣＨ外で同様にシグナリングされ得る。しかし、この点において発明のいくつかの実施形態の重要な態様は、キャリアのいずれかのシステム情報ブロック（ＳＩＢ）の復号が必要である前に、ＤＭＮ標識の存在はＤＭＮ装置によって導出可能であるということである。なぜならば、このことによって、ＤＭＮ装置が「誤った」キャリアにキャンプオンを試みているか否かを判定する時間を減らすことができるからである。
【００４７】
ステップＢ２において、ＤＭＮ装置が、予め定められたＤＭＮ標識をキャリアが含まないと判定する場合、ＤＭＮ装置は、レガシー装置用のキャリアにキャンプオンを試みていると想定し、処理は、「Ｎ」と記された分岐に従って、ステップＢ３に至る。ステップＢ３では、ＤＭＮ装置は、現在のキャンプオン手続きを終了し、ステップＢ２に戻り、異なるキャリアと同期し、当該異なるキャリアについてのＰＢＣＨを復号することにより、別のキャリアへキャンプオンを試みる。
【００４８】
しかし、ステップＢ２において、ＤＭＮ装置が、キャリアは、想定したＤＭＮ標識を含むと判定した場合、ＤＭＮ装置は、ＤＭＮ装置用のキャリアにキャンプオンを試みていると想定し、処理は、「Ｙ」と記された分岐に従って、ステップＢ４に至る。ステップＢ４では、例えば、無線キャリアキャンプオン手続きについての概ね従来の技術に従って、キャンプオン手続きが継続する。
【００４９】
そのため、図３Ｂの処理の原理に従って、複数のキャリアの中からキャリアの選択を試みるあるクラスの装置は、そのキャリアのうちの１つと同期し、ネットワークはそのクラスの装置によって選択されるのに適切であることを示す標識をそのキャリアがブロードキャストしているかを判定するように、構成される。ネットワークが適切であるクラスの装置の標識は、装置がいずれかのＳＩＢを復号する前に通信され得る。例えば、標識は、ＰＢＣＨに含まれ、または、関連するクラスの装置用のキャリアで標識を通信するために確保された特定または導出可能な送信リソースに含まれ得る。
【００５０】
発明の実施形態の例示的実装は図３Ａおよび図３Ｂの態様をともに組み合わせ得るということが、理解されるであろう。例えば、両手続きを順次実装することによって、よりロバストなキャリア選択方式がＤＭＮ装置に提供され得る。例えば、図３Ｂを参照して説明された処理の態様は、相対的に小さい帯域幅を有するレガシーキャリアが存在する場合にキャリア間を区別することを支援するために、図３Ａを参照して説明された処理に基づく実装に組み込まれ得る。
【００５１】
＜レガシー装置によるキャリア選択＞
原則として、ＤＭＮ装置によるキャリア選択に関連して以上で説明したようなものに類似した技術は、レガシーキャリアへキャンプオンを試みる装置に関して同様に適用され得る。しかし、ここでの問題は、上記のＤＭＮ装置のキャリア選択メカニズムが、ＬＴＥ  Ｒｅｌ８／９／１０のような関連規格で現在規定されるものからＤＭＮ装置／キャリアのために修正された挙動にある程度依存していることである。例えば、図３Ｂに関連して上述した種類の装置クラスの標識をユーザ端末が探索するための規定、または図３Ａに関連して上述したようなＭＩＢでシグナリングされたｄｌ−帯域幅の値に基づいてキャンプオンの挙動を修正するための規定は、現在の規格にはない。したがって、レガシー装置またはキャリアにおける挙動またはシグナリングの修正を要求することなく、ＤＭＮキャリアが存在しても、既存の規格に準拠するレガシー装置がレガシーキャリアを正確に選択することを支援するために、異なるアプローチが以下に提案される。
【００５２】
この観点から、レガシー装置がレガシーキャリアにキャンプオンするための処理は、全体的に従来の作法で進行し得る。以下で説明されるメカニズムは、レガシー装置がＤＭＮキャリアへキャンプオンを試みることを妨げる手続きに主に焦点を当てる。さらに、これは、少なくともいくつかの実施形態では、レガシー装置をキャンプオン手続きの早期にＤＭＮキャリアから排除する目的で行われる。
【００５３】
原則として、ＤＭＮキャリアがＬＴＥ  Ｒｅｌ８／９／１０に準拠しない新しい同期シグナリング方式を採用し得る。それにより、レガシー装置は、ＤＭＮキャリアへのキャンプオンの開始を試行することすらできなくなり得る。しかし、先に述べたように、レガシーキャリアとＤＭＮキャリアとの基本的なレベルの互換性を維持することが好ましくあり得る理由が存在する。このことを念頭に、ＤＭＮキャリアは、原則として、例えばＬＴＥ  Ｒｅｌ８／９／１０といった既存のキャンプオン手続きに完全に準拠するキャンプオン手続きを採用することが可能であり、レガシー装置をレガシーキャリアに再度向ける前に、レガシー装置は、通常の手法でＤＭＮにおける登録を完了することができる。しかし、これは、ＤＭＮおよびレガシーネットワークのトラフィックパターンの異なる特徴および装置要求を考慮すると、ＤＭＮ装置についてのキャンプオン手続きを最適化することを可能にするための柔軟性を減少させる。つまり、このアプローチは、いくつかの実装について望まれ得るよりもレガシーキャリアとのより多くの互換性をサポートすることをＤＭＮキャリアに要求し得る。さらに、レガシー装置が離れる前にＤＭＮキャリアについてのキャンプオン手続きを完了させることを可能にすることは、ＤＭＮについての全体のシグナリングの負荷の増加、及び登録手続きの遅延につながる。これは、ユーザにとって苛立たしい（frustrating）ものであり得る。
【００５４】
したがって、いくつかの場合において、どの程度、ＤＭＮがレガシーネットワークに準拠する／後方互換性を有することが望まれる程度に従って（つまり、それぞれのクラスの装置についてのそれぞれのキャリアの間で互換性が望まれる度合いに基づいて）、キャンプオン手続きの異なる段階でレガシー装置のＤＭＮキャリアへのキャンプオンを妨げることが好ましくあり得るということを、発明者は認識している。したがって、第２のクラス／タイプの装置（例えば、ＤＭＮ／ＭＴＣタイプの装置）による使用を主に意図するキャリアに第１のクラス／タイプの装置（例えば、レガシー装置）がキャンプオンすることを、キャンプオン手続きの異なる段階で、特にＬＴＥ  Ｒｅｌ８／９／１０に準拠するユーザ端末が従うキャンプオン手続きの異なる段階で妨げるための、様々な異なるメカニズムを、発明者は確立している。
【００５５】
したがって、これらキャンプオン／セル選択手続きに準拠するクラスの装置がＤＭＮのキャンプオン／セル選択手続きを完了させることを妨げるために、ＬＴＥ  Ｒｅｌ８／９／１０のキャンプオン手続きの異なる段階で使用され得る様々な異なる技術を発明者は確認している。これらの異なる技術は、概ね、キャンプオン手続きに適用され得るのが早い順序で、以下に説明される。これらの技術のうちの様々な技術は、個別に使用され、または、レガシー装置がＤＭＮキャリアにキャンプオンすることを妨げるための複数の異なる手法を提供するために、必要に応じて上記技術のうちの他の技術との組合せで使用され得る。
【００５６】
異なる技術は、説明の目的から、概ね３つのグループに分類されると考えられ得る。グループは、（１）物理層チェック、（２）システム情報ブロック１（ＳＩＢ１）チェック、および（３）初期アクセスチェックと呼ばれ得る。異なる技術が概ねこの順序で以下に説明される。これらの技術を説明する際に、従来のキャンプオン手続きの様々な態様が参照され、ＬＴＥ  Ｒｅｌ８／９／１０の確立されたセル選択／キャンプオン手続きを参照することによって、具体的な実施形態がこの観点で例示される。ＬＴＥ  Ｒｅｌ８／９／１０に関連する一般的なセル選択手続き、および関連する用語ならびに頭字語は、周知であり、関連規格において十分に定義されているため、簡潔にするために、ここでは詳細には説明しない。以下に説明される実施形態の大部分では、レガシー装置／キャリアは、ＬＴＥ  Ｒｅｌ８／９／１０の確立されたセル選択／キャンプオン手続きに従うように構成され、ＤＭＮ装置／キャリアも、所望の挙動を起こすための修正／変更を伴うが、同じ一般的原理およびそれらセル選択／キャンプオン手続きの段階に従うように構成される、ということが想定される。特に、以下の実施形態の説明は、レガシー装置のキャンプオン手続きとは異なる手法で振るまうことをレガシー装置に要求せずに、レガシー装置がＤＭＮキャリアにキャンプオンすることを妨げるために、ＤＭＮキャリアについてのセル選択／キャンプオン手続きがレガシーキャリアについてのセル選択／キャンプオン手続きとどのように異なり得るのかということに焦点を当てる。
【００５７】
＜レガシー装置によるキャリア選択のための物理層チェック＞
レガシー装置のＤＭＮキャリアへのキャンプオンを妨げる支援をする１つのメカニズムは、ＤＭＮキャリアのＭＩＢ（ＰＢＣＨが）がレガシーキャリアのＭＩＢ（ＰＢＣＨ）と比べて異なるやり方で符号化／スクランブルされるように、ＤＭＮキャリアを構成することである。ここで、レガシーキャリアおよびＤＭＮキャリアが同じ同期シグナリング手続き（例えば、ＰＳＳおよびＳＳＳ）を採用することによって、両クラスの装置は例えばＬＴＥ  Ｒｅｌ８／９／１０に定義される同期手続きに従って両方のタイプのキャリアに同期できると想定する。しかし、ＤＭＮキャリア上のＭＩＢについての異なる符号化は、レガシー装置の、このＭＩＢへアクセスする能力を妨げる。したがって、装置に依存した回数の試行後、装置は、この状況下でＬＴＥ  Ｒｅｌ８／９／１０の装置について定義された挙動に従ってその特定のキャリアについてのキャンプオン手続きを終了し、別のキャリアを探索する。一方で、ＤＭＮ装置は、異なるやり方で符号化／スクランブルされたＤＭＮキャリアのＭＩＢを復号可能なように構成され得る。それにより、ＤＭＮ装置は、ＭＩＢを復号し、キャンプオン手続きを進めることができる
【００５８】
いくつかの実装では、ＤＭＮ装置は、レガシーキャリアのＭＩＢではなく、ＤＭＮキャリアのＭＩＢを復号する能力（例えば、関連する復号方式の知識）を有するように構成され得る。したがって、このメカニズムは、両クラスの装置が「誤った」タイプのキャリア（つまり、主に他方のクラスの装置用のキャリア）にキャンプオンすることを妨げるために使用され得る。他の実装では、ＤＭＮ装置は、レガシーキャリアとＤＭＮキャリアとの両方のそれぞれのＭＩＢを復号できるように構成され得る。これによって、例えば、ＤＭＮ装置は、適切なＤＭＮキャリアが利用可能でない場合、レガシーキャリアをフォールバックとして使用することが可能となる。例えば、ＤＭＮ装置は、まず、ＭＩＢについてのＤＭＮ符号化方式を想定してセル選択を実行することによって、ＤＭＮキャリアへキャンプオンすることを試みるように構成され得る。そして、ＤＭＮ装置は、所定の時間または所定の回数の試行の後、ＤＭＮキャリアへキャンプオンすることに成功しない場合、レガシーキャリアへのキャンプオンを試みるように戻り得る。
【００５９】
図４Ａは、レガシー装置が、妨げられる（frustrated）ＭＩＢ取得アプローチに従って、レガシータイプキャリアとＤＭＮタイプキャリアとの両方を含む通信システムにおいてキャリアへキャンプオンを試みる際、どのように振るまい得るか、といういくつかのステップを概略的に示すフロー図である。
【００６０】
キャリアへキャンプオンを試みるレガシー装置は、例えば、起動に引き続き、その位置でブロードキャストされるＰＳＳおよびＳＳＳ信号を識別し、復号することを試み得る。先に述べたように、ここでは、レガシー装置が両方のタイプのキャリアに同期可能なように、レガシーキャリアおよびＤＭＮキャリアが、互換性のある同期シグナリングを使用することが、想定される。この同期ステップは、図４ＡのステップＣ１によって表される。
【００６１】
ステップＣ２において、レガシー装置は、ＰＢＣＨを復号し、ＭＩＢを読み込むことを試みる。
【００６２】
例えば、キャリアが、レガシー装置の動作規格によって規定されるものとは異なるＰＢＣＨ符号化方式を実装するＤＭＮキャリアであるために、ステップＣ２においてレガシー装置がＭＩＢを読み込むことに失敗した場合、レガシー装置は、ＬＴＥ  Ｒｅｌ８／９／１０規格に従って、現在のキャリアにキャンプオンするという試行を終了する。これは、ステップＣ３へと至る、「Ｎ」と記された処理分岐によって、図４Ａに概略的に表される。ステップＣ３では、装置は、現在のキャンプオン手続きを終了し、別のキャリアへのキャンプオンを試みる。
【００６３】
しかし、レガシー装置がステップＣ１において同期したキャリアがレガシーキャリアである場合、装置は、（無関係な問題は存在しないと想定して）通常の方法でステップＣ２においてＰＢＣＨ上のＭＩＢを復号することが可能であり、処理は、「Ｙ」分岐に従って、ステップＣ２からステップＣ４まで至る。ステップＣ４では、装置のキャンプオン手続きは、従来技術に従って継続し得る。
【００６４】
そのため、図４Ａの処理の原理に従って、通信システムは、２つのクラスの装置をサポートする２つのタイプのキャリアを含み、２つのタイプのキャリアについての同期手続きは、互いに互換性を有するが、各キャリアについてのマスタ情報ブロックを読み込む手続きに互換性はない。したがって、第１のクラスの装置は、両方のタイプのキャリアに同期することができるが、２つのタイプのキャリアの一方についての、キャリア帯域幅、システムフレーム番号、およびＰＨＩＣＨ構成などの基本的なキャリア情報を読み込むことはできず、このキャリアについてのキャンプオン手続きの完了を妨げられる。重要なことに、これは、キャンプオン手続きの早期の段階で達成され、第１のクラスの装置の挙動にいずれの修正も必要とせず達成可能である。
【００６５】
レガシー装置がＤＭＮキャリアへキャンプオンすることを妨げる支援をする別のメカニズムは、ＰＣＦＩＣＨが、レガシーキャリアのＰＣＦＩＣＨと比較して、異なるやり方で符号化／スクランブルされるように、ＤＭＮキャリアを構成することである。そのような場合、レガシーキャリアおよびＤＭＮキャリアは、同じ同期シグナリング手続きおよびＰＢＣＨ符号化を採用し得る。そのため、両方のクラスの装置は、例えば、ＬＴＥ  Ｒｅｌ８／９／１０の定義された同期手続きに従って、両方のタイプのキャリアに同期し、それぞれのＭＩＢを読み込むことができる。しかし、ＤＭＮキャリア上のＰＣＦＩＣＨについての異なる符号化は、キャンプオン手続きのこの段階を越えて進むというレガシー装置の能力を阻害する。一方で、ＤＭＮ装置は、ＤＭＮキャリアの修正されたＰＣＦＩＣＨを復号できるように構成され、そのため、ＤＭＮ装置は、ＰＣＦＩＣＨを復号し、キャンプオン手続きを進めることができる。いくつかのケースでは、ＤＭＮキャリアのＰＣＦＩＣＨがレガシーキャリアと同じ手法で符号化され得るが、ＤＭＮキャリアについての制御フォーマット標識（ＣＦＩ）は、レガシー装置が読み込み可能である予め定められた値を採用し得るが、これによって、レガシー装置は、キャンプオン手続きを進めることを妨げられる。例えば、ＤＭＮキャリアは、レガシーキャリアの確保されたＣＦＩ、例えば全てゼロに対応するＣＦＩコードワードを採用し得る。
【００６６】
上述のＰＢＣＨ上のＭＩＢに関して、同じ理由から、いくつかの実装では、ＤＭＮ装置は、ＤＭＮキャリアのＰＣＦＩＣＨのみを正確に復号できるように構成され得る。他の実装では、ＤＭＮ装置は、レガシーキャリアとＤＭＮキャリアとの両方のそれぞれのＰＣＦＩＣＨを正確に復号できるように構成され得る。
【００６７】
図４Ｂは、レガシー装置が、苛立たしいＰＣＦＩＣＨ復号アプローチに従って、レガシータイプキャリアとＤＭＮタイプキャリアとの両方を含む通信システムにおいてキャリアにキャンプオンを試みる際、どのように振るまい得るか、という、いくつかのステップを概略的に示すフロー図である。
【００６８】
キャリアへキャンプオンすることを試みるレガシー装置は、例えば、起動に引き続き、その位置でブロードキャストされるＰＳＳおよびＳＳＳ信号を識別し、復号することを試みる。先に述べたように、ここで、レガシー装置が両方のタイプのキャリアに同期可能なように、レガシーキャリアおよびＤＭＮキャリアが、互換性のある同期シグナリングを使用することが、想定される。この同期ステップは、図４Ｂの中のステップＤ１によって表される。
【００６９】
キャリアと同期した後、レガシー装置は、ＰＢＣＨを復号し、キャリアのＭＩＢを読み込むことを試みる。先に述べたように、この例では、レガシーキャリアおよびＤＭＮキャリアが互換性のあるＰＢＣＨ符号化を使用し、そのため、レガシー装置は、両方のタイプのキャリアのＭＩＢを読み込むことができると、想定される。このＰＢＣＨ復号ステップは、図４Ｂの中のステップＤ２によって表される。
【００７０】
ステップＤ３において、レガシー装置は、ＰＣＦＩＣＨの復号し、ＣＦＩを読み込むことを試みる。
【００７１】
ステップＤ３において、例えば、キャリアは、レガシー装置の動作規格によって規定されるものとは異なるＰＣＦＩＣＨ符号化方式を実装するＤＭＮキャリアであるために、レガシー装置がＣＦＩの読み込みに失敗した場合、レガシー装置は、ＬＴＥ  Ｒｅｌ８／９／１０規格に従って、現在のキャリアへキャンプオンする試行を終了する。これは、ステップＤ４へと至る「Ｎ」と記された処理分岐によって、図４Ｂに概略的に表される。ステップＤ４では、上記装置は、現在のキャンプオン手続きを終了し、別のキャリアへキャンプオンを試みる。
【００７２】
しかし、レガシー装置がステップＤ１において同期したキャリアがレガシーキャリアである場合、当該装置は、（無関係な問題は存在しないと想定して）通常の手法で、ステップＤ３においてＰＣＦＩＣＨ上のＣＦＩを判定することが可能であり、処理は、「Ｙ」分岐に従って、ステップＤ３からステップＤ５まで至る。ステップＤ５では、装置のキャンプオン手続きが従来の技術に従って継続し得る。
【００７３】
そのため、図４Ｂの処理の原理に従って、通信システムは、２つのクラスの装置をサポートするための２つのタイプのキャリアを含む。両方のタイプのキャリアについての同期手続きおよびＭＩＢの符号化には、互いに互換性があるが、使用可能なＣＦＩ（つまり、キャンプオン手続きが進むことを可能にするという意味で使用可能）を判定するための手続きには、互換性がない。したがって、第１のクラスの装置は、両方のタイプのキャリアに同期可能であり、キャリア帯域幅のような２つのタイプのキャリアについての基本的なキャリア情報を読み込み可能であるが、第１のクラスの装置は、一方のタイプのキャリアについての制御フォーマットの表示を読み込むことができない。これは、ＣＦＩを通信するために異なる符号化／スクランブル方式をこのキャリアが使用するためであるか、または、キャリアが第１のクラスの装置についての確保された（つまり、使用可能ではない）標識である制御フォーマット標識を採用するためである。一方で、第２のクラスの装置は、ＰＣＦＩＣＨを正確に復号する／使用可能なＣＦＩを判定するように構成され得る。それによって、第２のクラスの装置は、第２のタイプのキャリアへのキャンプオンを進めることが可能となる。例えば、第２のクラスの装置は、第２のタイプのキャリア上のＣＦＩについて、異なる符号化方式を考慮するように構成され得る。あるいは、ＣＦＩが、同じ手法で符号化されているが、第１のクラスの装置の確保されたコードワードに設定されている場合には、第２のクラスの装置は、確保された値の検出に引き続き、有効なＣＦＩを判定するように構成され得る。例えば、ＤＭＮキャリアは、固定された制御フォーマットによって動作するように定義され得る。そのため、真のＣＦＩが実際に予め定められる。あるいは、ＤＭＮキャリアは、ＣＦＩ情報を通信して、ＤＭＮキャリアのために新たに定義された別個の信号でキャリアをＤＭＮキャリアとして示すために最初に使用された確保された値を置き換えるように、構成され得る。
【００７４】
ＬＴＥに準拠するレガシー装置がＤＭＮキャリアへキャンプオンすることを妨げる支援をする別のメカニズムは、ＤＭＮキャリア上のシステム情報ブロックタイプ１（ＳＩＢ１）をレガシー装置が復号できないように、ＤＭＮキャリアを構成する。ＬＴＥ  Ｒｅｌ８／９／１０についての確立されたキャンプオン手続きに従って、ＳＩＢ１を取得できない装置は、セルをバーリングされたものとして扱い、セル再選択を実行する。一方で、ＤＭＮ装置は、ＤＭＮキャリア上の修正されたＳＩＢ１を読み込めるように構成され、キャンプオン手続きを進めることができる。
【００７５】
例えば、ＬＴＥ  Ｒｅｌ８／９／１０に従って、ＳＩＢ１は、ＭＩＢで送信されるシステムフレーム番号に関連する特定回数、ダウンリンクキャリア上で送信される。しかし、使用される特定の周波数リソースおよびトランスポートブロックサイズは、ＣＲＣがシステム情報（ＳＩ）ＲＮＴＩ（Ｒｅｌ８／９／１０では全て１（ＦＦＦＦ））でスクランブルされた従来の作法で、ＰＤＣＣＨシグナリングを使用してシグナリングされる。したがって、レガシー装置がＤＭＮキャリア上のＳＩＢ１を正確に取得することを妨げるために、ＤＭＮキャリア上でのＳＩＢ１のシグナリングがレガシーキャリアに比べて修正され得る、多くの方法がある。例えば、ＤＭＮキャリア上のＳＩＢ１についてのＰＤＣＣＨは、レガシーキャリアのＳＩＢ１についてのＰＤＣＣＨと比較して、（システムフレーム番号に関連する）異なる回数送信され得る。あるいは、または加えて、異なるＰＤＣＣＨフォーマットが、２つの異なるタイプのキャリア上のＳＩＢ１のために使用されて、レガシー装置がＤＭＮキャリアについてのＰＤＳＣＨ上のＳＩＢ１の内容を取得することが妨げられ得る。例えば、異なるＣＲＣスクランブル、または、他の異なる符号化手続き／スクランブル手続きが、使用され得る。
【００７６】
これら全ての技術に共通して、ＤＭＮ装置は、両方のタイプのキャリアまたはＤＭＮキャリアのみにキャンプオンできるように構成され得る。例えば、ＤＭＮ装置は、ＤＭＮキャリアのＳＩＢ１を取得できるが、レガシーキャリアではＳＩＢ１を取得できないように、構成され得る。したがって、他の技術と同様に、このメカニズムは、一方のクラスの装置が「誤った」タイプのキャリア（つまり、主に他方のクラスの装置用のキャリア）にキャンプオンすることを妨げるために使用され得る。他の実装では、ＤＭＮ装置は、レガシーキャリアとＤＭＮキャリアとの両方についてのＳＩＢ１を取得できるように構成され得る。このことによって、例えば、ＤＭＮ装置は、適切なＤＭＮキャリアが利用可能でない場合、レガシーキャリアをフォールバックとして使用することが可能となる。
【００７７】
いくつかの点において、ＤＭＮキャリアにキャンプオンを試みるレガシー装置についてのＳＩＢ１の取得を妨げることに基づくアプローチは、本明細書において述べた他の技術のいくつかと比べて、より多くの待ち時間をもたらし得る。なぜならば、レガシー装置が、ＳＩＢ１を取得することができないと判断し、セル再選択を実行する前に、遅延がもたらされ得るからである。一方で、ＤＭＮキャリアの設計の観点から、ＳＩＢ１が後方互換的な作法でシグナリングされる必要はない。
【００７８】
図４Ｃは、この妨げられるＳＩＢ１の取得アプローチに従って、レガシータイプキャリアとＤＭＮタイプキャリアとの両方を含む通信システムにおいてキャリアにキャンプオンを試みる際に、レガシー装置がどのように振るまい得るか、という、いくつかのステップを概略的に示すフロー図である。
【００７９】
キャリアへキャンプオンを試みるレガシー装置は、例えば、起動に引き続き、その位置でブロードキャストされるＰＳＳおよびＳＳＳ信号を識別し、復号することを試みる。やはり、ここで、レガシー装置が両方のタイプのキャリアに同期可能なように、レガシーキャリアおよびＤＭＮキャリアが、互換性のある同期シグナリングを使用するということが、想定される。この同期ステップは、図４Ｃの中のステップＥ１によって表される。
【００８０】
キャリアと同期した後、レガシー装置は、ＰＢＣＨの復号して、キャリアのＭＩＢを読み込むことを試みる。やはり、この例では、レガシーキャリアおよびＤＭＮキャリアが、互換性のあるＰＢＣＨ符号化を使用し、そのため、レガシー装置は、両方のタイプのキャリア上のＭＩＢを読み込むことができることが、想定される。このＰＢＣＨの復号ステップは、図４Ｃの中のステップＥ２によって表される。
【００８１】
ＭＩＢを得た後、レガシー装置は、ＰＣＦＩＣＨを復号して、キャリアのＣＦＩを読み込むことを試みる。この例では、レガシーキャリアおよびＤＭＮキャリアは、互換性のあるＰＣＦＩＣＨ符号化を使用し、そのため、レガシー装置が、両方のタイプのキャリア上のＣＦＩを読み込むことができることが、さらに想定される。このＰＣＦＩＣＨの復号ステップは、図４Ｃの中のステップＥ３によって表される。
【００８２】
ステップＥ４において、レガシー装置は、ＳＩＢ１を取得することを試みる。
【００８３】
ステップＥ４において、例えば、対応するＰＤＣＣＨシグナリングが、期待される時間に存在しない、または、レガシー装置が期待するものとは異なるやり方で（例えば、異なるＳＩ−ＲＮＴＩを使用して）ＰＤＣＣＨ情報が符号化されるため、レガシー装置がＳＩＢ１を取得することに失敗した場合、レガシー装置は、ＬＴＥ  Ｒｅｌ８／９／１０規格に従って、現在のキャリアへキャンプオンする試行を終了する。このことは、ステップＥ５に至る「Ｎ」と記された処理分岐によって、図４Ｃに概略的に表される。ステップＥ５では、上記装置は、現在のキャンプオン手続きを終了し、別のキャリアへキャンプオンすることを試みる
【００８４】
しかし、レガシー装置がステップＥ１において同期したキャリアがレガシーキャリアである場合、上記装置は、通常の手法で、ステップＥ４において、ＳＩＢ１を取得することができるであろう。そして、処理は、「Ｙ」の分岐に従って、ステップＥ４からステップＥ６に至る。ステップＥ６では、レガシー装置のキャンプオン手続きが従来技術に従って継続し得る。
【００８５】
そのため、図４Ｃの処理の原理に従って、通信システムは、２つのクラスの装置をサポートするための２つのタイプのキャリアを含む。両方のタイプのキャリアについての同期手続きおよびＭＩＢならびにＣＦＩ符号化は、互いに互換性を有するが、例えばＳＩＢ１のようなキャンプオン手続きを完了させるために要求されるシステム情報を取得する手続きには、互換性はない。したがって、第１のクラスの装置は、両方のタイプのキャリアと同期し、キャリア帯域幅、システムフレーム番号、および示される制御フォーマットのような２つのタイプのキャリアについてのキャリア情報を得ることができるが、第１のクラスの装置は、公衆地上移動性ネットワーク（ＰＬＭＮ）識別リストのようなキャリアについてのシステム情報を取得することができない。
【００８６】
より一般的には、物理層チェックと呼ばれる上記技術は、２つのクラスの装置をサポートするための２つのタイプのキャリアを通信システムが含む技術として広く特徴付けられ得る。両方のクラスの装置が両方のタイプのキャリアについてのキャンプオン手続きを少なくとも開始できるように、上記２つのタイプのキャリアでは、それぞれのキャリアについてのキャンプオン手続きに関連付けられる物理層シグナリングの少なくとも初期の態様には、２つのタイプのキャリアについて互換性がある（例えば、互換性のある同期シグナリング）。しかし、少なくとも一方のクラスの装置が、一方のタイプのネットワークにキャンプオンできないように、上記２つのタイプのキャリアでは、２つのタイプのキャリアについてのキャンプオン手続きに関連付けられる物理層シグナリングの続く態様には、互換性がない（例えば、ＰＢＣＨ、ＰＣＦＩＣＨ、またはＳＩＢ１取得）。
【００８７】
＜レガシー装置によるキャリア選択のためのシステム情報ブロック１（ＳＩＢ１）＞
物理層チェックと呼ばれる上記技術は、一般的に、物理層シグナリングのレベルで、２つのタイプのキャリア間に少なくとも部分的な非互換性を提供することを目的にしている。しかし、以下に説明する発明の他の実施形態に係る一群の技術は、レガシー装置がＤＭＮキャリアのＳＩＢ１をうまく取得可能であり、レガシー装置がＳＩＢ１の内容に基づくキャンプオン手続きを完了させることを妨げるメカニズムを提供することを想定している。これらの技術は、ここでは、ＳＩＢ１チェックと呼ばれる。上述の物理層チェックに基づく技術のいくつかと比較して、ＳＩＢ１チェックに基づく技術のいくつかの潜在的な利点は、待ち時間を減少させるということにある。これは、いくつかのＳＩＢ１技術は、実際、レガシー装置に現在のキャンプオン手続きを継続すべきでないという積極的な判定を行う能力を提供することができるためであるが、物理層ベースの技術の多くは、何かが誤っているように思われるといったことから、レガシー装置に現在のキャンプオン手続きを中断させる。ある状況では、レガシー装置は、例えば、再試行スケジュールのために、中断するまでに相対的に多くの時間をＤＭＮキャリアへのキャンプオンに費やし得る。このことは、レガシー装置のＤＭＮキャリアへのキャンプオンの試みが全体的に速く可能になり、実際にキャンプオン手続きを終了すると積極的に判定できる段階に至る場合があることを意味する。
【００８８】
そのため、以下の技術に従って、ＤＭＮキャリアは、少なくとも、レガシー装置がＳＩＢ１を取得できるようになる程度まで、ＳＩＢ１の取得に伴う物理層シグナリングをサポートすることが、想定される。原則的に、ＤＭＮキャリアは、ＤＭＮ装置のための異なるキャンプオン手続きをサポートすることに加えて、物理層シグナリングをサポートし得る。
【００８９】
キャリアへキャンプオンを試みるレガシー装置によってＳＩＢ１の内容が復号されると、当該装置は、セルがバーリングされているか、使用中のＰＬＭＮのＩＤ、およびクローズド加入者グループ（Closed  Subscriber  Group）の詳細を判定することができる。これらの情報のいずれかが、以下にさらに説明されるように、レガシー装置のキャンプオン手続きを終了させるメカニズムとしてＤＭＮキャリアにより使用され得る。
【００９０】
このＳＩＢ１段階でＤＭＮキャリア上でのレガシー装置のための試行されるキャンプオン手続きを休止する中で、レガシー装置は、キャンプオン手続きの中の相対的に早期にキャンプオン手続きを終了させられ得る。この早期のキャンプオン手続きの終了は、キャンプオン手続きがより速く終了することから生じ得るのみならず、レガシー準拠のＳＩＢがＤＭＮキャリアでさらに送信される必要がない。さらに、ＤＭＮ特有のＳＩＢは、後方互換性を有する（つまり、レガシー装置によって読み込み可能である）必要がないフォーマットで送信され得る。したがって、このアプローチでは、ＤＭＮキャリアは、限定的なレガシーＬＴＥの機能性を特定のサブフレームに提供し得るに過ぎず、最小量の互換性を提供することによって、レガシーＬＴＥ装置は、ＳＩＢ１の読み込み（およびキャンプオン試行破棄の決定）が可能となる。この点で、このアプローチは、レガシーキャリアとは実質的に異なる手法で動作し得るＤＭＮキャリアについてレガシー装置にキャンプオン終了指示を通信する方法を提供するものとして、ある意味で考えることができる。例えば、これは、レガシー装置によって取得され得る後方互換性のＳＩＢ１をＤＭＮキャリアが含み得るように、ＤＭＮキャリアのレガシーキャリアタイプのダウンリンク制御（つまり、ＰＤＣＣＨ）の限定的な使用を通して達成され得る。そのようなレガシーＰＤＣＣＨシグナリングは、ＳＩＢ１がレガシーキャリアに存在すると期待されるサブフレームに対応するサブフレームに存在し得るに過ぎない。ある実装において、レガシー装置がさらなるＳＩＢを読み込むことが要求される場合、レガシーＰＤＣＣＨシグナリングも、それらさらなるＳＩＢが存在するサブフレームに提供され得る。レガシーＰＤＣＣＨシグナリングがＤＭＮキャリアに提供されるサブフレームに、レガシーキャリアタイプの参照シンボル、ＰＣＦＩＣＨ、およびＰＨＩＣＨ（ＰＨＩＣＨの場合、物理チャネルの位置のみが同じであり得、内容は異なり得る）を含むことも適切であり得る。他のサブフレーム（つまり、レガシー装置がキャリアを読み込む必要がないサブフレーム）には、レガシーＰＤＣＣＨシグナリングがＤＭＮキャリアに存在しない場合がある。例えばＳＩＢ１に関連するシグナリングのような、レガシー装置／キャリアとのある程度の互換性を提供するシグナリングを含むＤＭＮキャリアのサブフレームも、レガシー装置との互換性があるシグナリングを含み得る。例えば、ＤＭＮキャリアは、レガシー固有のシグナリングおよび別個のＤＭＮ固有のシグナリングを同じサブフレーム内に含み得る。
【００９１】
ＳＩＢ１のチェックに基づく１つのアプローチは、ＷＣＤＭＡ  ＭＢＳＦＮおよびＩＭＢ  ＭＢＳＦＮに採用されているようなセルのバーリングを用いて達成され得る。セルのバーリングは、ＤＭＮキャリアのＳＩＢ１にフラグを設定することによって実行され得る。したがって、ＤＭＮキャリアにキャンプオンを試みるレガシー装置は、セルはアクセスがバーリングされていると判定し、キャンプオン手続きを終了して、セル再選択を実行する。しかし、ＤＭＮ装置が、セルのバーリングの表示のこの形式を無視するように構成されて、ＤＭＮ装置は、キャンプオン手続きを進めることができ得る。このアプローチによって、さらなるセルバーリング標識フラグがＤＭＮキャリアについて定義されて、（ＤＭＮ装置は「従来の」セルバーリング標識を無視するように構成されるので）アクセスについてキャリアが本当にバーリングされているか否かをＤＭＮ装置に示し得る。
【００９２】
そのため、セルのバーリングに基づくアプローチに従って、通信システムは、２つのクラスの装置をサポートするための２つのタイプのキャリアを含む。第１のクラスの装置は、両方のタイプのキャリアからシステム情報を取得するように少なくとも動作可能であるが、第２のタイプのキャリアは、対応するキャリアが利用可能であるか否かを第１のクラスの装置に示すセルバーリング標識を含み、第２のクラスの装置は、第１のクラスの装置に、対応するキャリアが利用可能であるか否かを示すセルバーリング標識を無視するように構成される。第２のタイプのキャリアは、第２のクラスの装置に、対応するキャリアが利用可能であるか否かを示すセルバーリング標識をさらに含み得る。つまり、第２のタイプのキャリアは、２つの異なるクラスの装置のために別個のセルバーリング標識を含み得る。
【００９３】
ＤＭＮキャリアにキャンプオンを試みるレガシー装置によるキャンプオン手続きを終了させる他のアプローチは、装置のＵＳＩＭ内に含まれる情報に基づいてもよく、例えば、ＰＬＭＮ識別および／または閉鎖加入者グループ（ＣＳＧ）定義／メンバーシップに基づき得る。
【００９４】
例えば、レガシーキャリアおよびＤＭＮキャリアは、事業者によって、異なる公衆地上移動ネットワーク（ＰＬＭＮ）識別を割り当てられ得る。キャリアは、それぞれのＰＬＭＮ  ＩＤをＳＩＢ１のｐｌｍｎ−ＩｄｅｎｔｉｔｙＬｉｓｔ  ＩＥでブロードキャストするように構成され得る。このシナリオでは、ＤＭＮ装置は、ＤＭＮキャリアにアクセスが可能なように構成され得る。また、レガシー装置は、そのようなアクセスが可能でないように構成され得る。
【００９５】
実際に、特定の装置（例えば、レガシー装置）を特定のキャリア（例えば、レガシーキャリア）に関連付ける別の潜在的なアプローチは、ＣＳＧ（Ｃｌｏｓｅｄ  Ｓｕｂｓｃｒｉｂｅｒ  Ｇｒｏｕｐ）の基礎となっている原理を修正利用することによってなされる。現在、３ＧＰＰ  ＬＴＥフレームワーク内には、ＣＳＧの概念が存在する。ＣＳＧは、ネットワーク事業者によって、適切な管理手続きを通して維持される。各ＣＳＧは、ＣＳＧ識別子（ＣＳＧ＿ＩＤ）を割り振られる。通信システム内では、加入者と、加入者がアクセス可能なＣＳＧとの関係は、ＨＳＳ／ＨＬＲの加入記録に保持され、識別は、端末装置のＵＳＩＭのＩＭＳＩに基づく。ＣＳＧ＿ＩＤは、端末装置が、対応するＣＳＧへのアクセスを割り振られた場合、個別の端末装置の記録に追加され得る。
【００９６】
端末装置がアクセス可能なＣＳＧのＩＤは、装置のＵＳＩＭに記録される。装置管理手続き（例えば、ＯＭＡ  ＤＭ（Ｏｐｅｎ  Ｍｏｂｉｌｅ  Ａｌｌｉａｎｃｅ  Ｄｅｖｉｃｅ  Ｍａｎａｇｅｍｅｎｔ））を介して、又は、またはＣＳＧについての手動探索の結果、およびアタッチ（アタッチ手続き中に、ＣＳＧにアクセスする装置の権利がＨＳＳ加入者記録からチェックされる）のようなＮＡＳ手続きの成功の結果として、ＣＳＧ＿ＩＤがＵＳＩＭにロードされ得る。
【００９７】
ＬＴＥ  Ｒｅｌ８／９／１０でのＣＳＧの主な用途は、Ｈｏｍｅ  （ｅ）ＮｏｄｅＢのような、いわゆるフェムトセルへのアクセスを制御することである。しかし、ＣＳＧタイプの機能性が使用されて、装置ＩＤ（ＩＭＳＩ）ではなく装置のクラスに基づく手法で、キャリア選択がより広く制御され得るということを、本発明者は認識している。
【００９８】
従来のＣＳＧ動作に従って、ＣＳＧセルとして動作するように構成されているセルは、特定のＣＳＧのＩＤを有するように構成される。セルは、セル／キャリアをＣＳＧセル／キャリアとして識別するための標識と共に、ＣＳＧ＿ＩＤをＳＩＢ１でブロードキャストする。
【００９９】
ＣＳＧを認識する端末装置は、ＣＳＧ標識ビットおよびＳＩＢ１のＣＳＧ＿ＩＤを読み込むと、そのＣＳＧ＿ＩＤが端末装置のＣＳＧホワイトリストにある場合、ＲＲＣ接続およびＮＡＳアタッチを試みるに過ぎない。特定のＣＳＧ＿ＩＤが装置のＣＳＧホワイトリストにロードされ得るか否かは、ＩＭＳＩによってインデックスが付されたＨＳＳに保持される加入データによって判定される。したがって、その加入者識別（ＩＭＳＩ）に対応するＵＳＩＭが配置されるいずれの端末装置も、ＣＳＧ＿ＩＤがそのＩＭＳＩについての加入者記録に記憶されるＣＳＧのセルへのアクセスを有する。
【０１００】
発明の実施形態によれば、新たなＣＳＧ装置タイプのフィールドが定義される修正ＣＳＧ方式が提案される。このＣＳＧ装置タイプのフィールドは、関連付けられたキャリアへのアクセスが可能なクラスの装置を定義するために使用され得る。ＣＳＧ装置タイプのパラメータは、従来のＣＳＧ＿ＩＤと共に、キャリア加入データに記憶され得る。ＣＳＧ装置タイプのフィールドは、ＤＭＮ端末装置に記憶されたＣＳＧデータにも伝えられ得る。次いで、キャリアへのアクセスは、ＣＳＧ＿ＩＤベースの制御と同じ原理に従って制限され得るが、代わりに、ＣＳＧ装置タイプのパラメータに基づき得る。つまり、ＣＳＧ装置タイプのフィールドに対応する装置性能を宣言する（例えば、そのような装置のタイプの１つは、「ＤＭＮ装置」であり得る）、キャリアへキャンプオンを試みる装置のみである。この装置の性能の態様は、ｅＮＢに伝送された装置性能情報と、コアネットワークに伝送された性能情報とに含まれ得るので、無線アクセスネットとコアネットワークとの両方におけるチェックのために利用可能である。
【０１０１】
したがって、ＤＭＮ装置は、接続を試行する前に、その装置性能およびいずれかのＣＳＧ＿ＩＤをチェックするように構成され得る。コアネットワークも、端末装置によって伝送された装置性能およびＨＳＳの加入データに記憶されたＣＳＧ＿ＩＤ／ＣＳＧ装置タイプに基づいて、同じチェックを行い得る。
【０１０２】
このアプローチを利用するＤＭＮキャリアへキャンプオンを試みるレガシー装置の応答を説明するために、具体的なシナリオを想定する。レガシー装置は、ＩＭＳＩ番号ＩＭＳＩ（１）に関連付けられたＵＳＩＭを有すると考える。さらに、ＩＭＳＩ（１）についての加入者データは、ＩＤ  ＣＳＧ＿ＩＤ（１）を有するＣＳＧへのアクセスが付与されており、「ＤＭＮ  Ｄｅｖｉｃｅ」に設定されたＣＳＧ装置タイプのフィールドを有すると考える。レガシー装置がＣＳＧ＿ＩＤ（１）をブロードキャストするキャリアを介して、アタッチを試みる場合、装置はそのＣＳＧホワイトリストにＣＳＧ＿ＩＤ（１）を発見し、それによって、キャンプオンを試みて、アタッチを試行する。しかし、アタッチ手続き中、装置は、当然、キャリアのＣＳＧ装置タイプに対応する装置性能を宣言しない。次いで、キャリアに関連付けられたコアネットワークは、レガシー装置によって提供されたＣＳＧ情報に対して、加入チェックを行い、そのＣＳＧへのアクセスが性能「ＤＭＮ装置」を宣言する装置のために確保されていることを認識し、それによって、レガシー装置によるアクセスは拒まれるはずである。（既存の手続きを利用する）コアネットワークは、したがって、特定の拒絶要因値が「このＣＳＧについて認証されていない」ことを示すＮＡＳ拒絶メッセージをレガシー装置に伝送し得る。次いで、レガシー装置は、そのＣＳＧ＿ＩＤを、レガシー装置のＵＳＩＭに記憶されたＡｌｌｏｗｅｄ  ＣＳＧ  Ｌｉｓｔ（ホワイトリスト）から取り除くことを要求される。したがって、レガシー装置がそのＣＳＧ＿ＩＤを有するキャリアへのキャンプオンを再試行する場合、ＣＳＧ＿ＩＤは、もはやレガシー装置のＣＳＧホワイトリストになく、端末装置は、そのキャリアへのキャンプオンの試行を中止し、そのセルを介したアタッチすら試行しない。
【０１０３】
したがって、ＣＳＧ加入情報に「Ｄｅｖｉｃｅ  Ｔｙｐｅ」の態様を導入することによって、アクセスはＵＳＩＭおよび装置のクラスの組合せに基づき得るが、それは、（１）ＣＳＧ−ＩＤが、ＵＳＩＭのＩＭＳＩに対応して、ＨＳＳの加入データにある場合、および（２）装置が、新たなＣＳＧ加入データフィールド「ＣＳＧ  Ｄｅｖｉｃｅ  Ｔｙｐｅ」に記憶されるものに対応する装置性能を宣言する場合に初めて、任意の組合せがＣＳＧセルを介してネットワークにアクセス可能であるという意味である。
【０１０４】
＜レガシー装置によるキャリア選択のための初期アクセスチェック＞
ＳＩＢ１の取得に引き続き、ＬＴＥ  Ｒｅｌ８／９／１０の従来のキャンプオン手続きにおける動作の次の局面は、ＳＩＢ２の取得および処理（ＳＩＢ２についてのスケジューリング情報がＳＩＢ１でブロードキャストされる）である。ＤＭＮキャリアおよびレガシーキャリアが十分に互換性を有し、レガシー装置がＤＭＮキャリアからＳＩＢ１を取得することができ、レガシー装置がＳＩＢ１の内容に基づいてキャンプオン手続きを終了させられない通信システムにおいて、ＳＩＢ２の取得および処理は、レガシー装置が現在のキャリアについてのキャンプオン手続きを中断するよう促され得る別の段階を提供する。
【０１０５】
例えば、ＬＴＥ  Ｒｅｌ８／９／１０に従って、ＳＩＢ２は、アクセスクラスバーリング（ＡＣＢ：ａｃｃｅｓｓ  ｃｌａｓｓ  ｂａｒｒｉｎｇ）パラメータを提供する。発明の実施形態に係るＤＭＮキャリアは、拡張アクセスバーリング（ＥＡＢ：ｅｘｔｅｎｄｅｄ  ａｃｃｅｓｓ  ｂａｒｒｉｎｇ）パラメータと呼ばれ得る追加の特別化されたＡＣＢパラメータを含むよう構成され得る。ＤＭＮ装置は、これらのＥＡＰパラメータを探索するように構成され得る。また、ＥＡＢパラメータが存在し、装置に適用可能な場合は、ＥＡＢパラメータは、ＡＣＢパラメータに優先（override）し得る。レガシー装置は、ＡＣＢパラメータを認識するのみであるが、ＤＭＮ装置は、ＥＡＢパラメータの読み込みおよび解釈も可能である。したがって、ＤＭＮキャリアのＳＩＢ２がアクセスクラスバーリングパラメータと拡張アクセスバーリングパラメータとの両方を含む場合、ＡＣＢパラメータは、レガシー装置をバーリングするように設定され得る一方で、ＥＡＢパラメータ（ＤＭＮ装置によって読み込まれる）は、装置からのアクセスを許可するように設定され得る。
【０１０６】
アクセスクラスバーリングの性質は、端末装置が、ＲＲＣ接続の確立を試行し得るか否かを決定した場合、確立の初期段階で効果を生じるというものである。したがって、このタイプのレガシー装置のキャンプオン手続きを制御するアプローチは、「初期アクセスチェック」と呼ばれ得る。端末装置が、例えばＳＩＢ２のＡＣＢパラメータに基づいて、初期アクセスチェックを実行する際に、端末装置がバーリングされると判定した場合、装置は、アクセスの試行を中止し、任意の時間期間、さらなるアクセスの試行を控える。したがって、このアプローチは、レガシー装置のＤＭＮキャリアへのキャンプオンを妨げ得るが、レガシー装置にセル再選択を実行させるためには、さらなるステップが必要となる場合がある。
【０１０７】
＜結論＞
図５は、上記発明の実施形態のいずれかを実装するためのモバイル通信システム５０の要素を概略的に表す。システムは、第１のキャリア６０を用いて、第１の端末装置（ＵＥ）５６と通信する第１の基地局（ｅＮｏｄｅＢ）５２と、第２のキャリア６６を用いて、第２の端末装置（ＵＥ）５８と通信する第２の基地局（ｅＮｏｄｅＢ）５４とを含む。参照番号６２によって識別される要素によって、図５に概略的に示されるように、第２の端末装置／ユーザ機器５８は、第１の基地局／ｅＮｏｄｅＢ５２からキャリア６２も受信可能であり、参照番号６４によって識別される要素によって、図５に概略的に示されるように、第１の端末装置／ユーザ機器５６は、第２の基地局／ｅＮｏｄｅＢ５４からキャリア６４も受信可能である。したがって、発明の実施形態に従って、第１の基地局５２、第１のキャリア６０、６２、および第１の端末装置５６は、レガシーネットワークに関連付けられ得、第２の基地局５４、第２のキャリア６４、６６、および第２の端末装置５８は、ＤＭＮネットワークに関連付けられ得る。発明の実施形態は、システム５０の関連要素を適切に構成することによって実装され得、例えば、適切なソフトウェアの修正によって、上記機能性を提供し得る。
【０１０８】
さらに一般的には、上記異なるタイプのキャリアをサポートするハードウェアは、例えば、スクランブル／符号化手続きに関する適切な構成変更を除いて、概ね従来のものであり得、所与の実装についての所望の機能性をサポートし得るということが、理解されるであろう。第１のタイプおよび第２のタイプのキャリアは、実質、全体的に互いに独立したものであり得る場合があり、例えば、実際に、概略的に図１に示されるタイプの２つ（または２以上）の別個のネットワークアーキテクチャは、２つ（または２以上）の異なるタイプのキャリアをサポートするように展開され得る。他の例では、複数の異なるタイプのキャリアをサポートするハードウェアのアーキテクチャに、ある程度、または完全な重複がある場合がある。例えば、図１に示される類の個別のｅＮｏｄｅ−Ｂは、両方のキャリアを同時にサポートするように構成され得る。
【０１０９】
したがって、異なるクラスの装置によるキャンプオン手続きの異なる段階でのキャリア選択を制御するための多数の異なる技術が説明された。特に、より新しいタイプの装置をサポートするより新しいタイプのキャリアが、より古いタイプの装置をサポートするより古いタイプのキャリアと並行して、通信システムにどのように含まれ得るか、ということが示された。また、より古いタイプの装置のために定義された挙動の変更を必要とすることなく、より古いタイプの装置によるより新しいタイプのキャリアへのアクセスが制御されることを可能にし、また、より古いタイプのキャリアの変更を必要とすることなく、より新しいタイプの装置によるより古いタイプのキャリアへのアクセスが制御されることを可能にしつつ、より古いタイプのキャリア／装置とより新しいタイプのキャリア／装置との間のある程度の互換性を許可する手法で、どのようにこれ（より新しいタイプのキャリアをより古いタイプのキャリアと並行して通信システムに含めること）が行われ得るか、ということが示された。
【０１１０】
添付の特許請求の範囲に規定される本発明の範囲を逸脱することなく、上記実施形態に様々な改変がなされ得るということが、理解されるであろう。特に、発明の実施形態は、ＬＴＥモバイル無線ネットワークを参照して説明されたが、本発明は、ＧＳＭ、３Ｇ／ＵＭＴＳ、ＣＤＭＡ２０００などのような他の形態のネットワークに適用可能であるということが、理解されるであろう。本明細書で使用されたＭＴＣ端末という用語は、ユーザ機器（ＵＥ）、モバイル通信装置、モバイル端末などと置き換え可能である。さらに、基地局という用語は、ｅ−ｎｏｄｅＢと交換可能に使用されたが、それらのネットワークエンティティに機能性の違いはないことを理解されたい。
【０１１１】
本発明のさらなる具体的で好ましい態様が添付の独立請求項および従属請求項に記載される。従属請求項の特徴は、特許請求の範囲に明示的に記載されたものを除いた組合せで、独立請求項の特徴と組み合わせられ得るということが、理解されるであろう。
【符号の説明】
【０１１２】
１    ユーザ機器
２    ｅＮｏｄｅ  Ｂ
４    ＵＳＩＭ
【図１】
0005964418.tif 000002
【図２】
0005964418.tif 000003
【図３Ａ】
0005964418.tif 000004
【図３Ｂ】
0005964418.tif 000005
【図４Ａ】
0005964418.tif 000006
【図４Ｂ】
0005964418.tif 000007
【図４Ｃ】
0005964418.tif 000008
【図５】
0005964418.tif 000009